(57)【要約】【課題】ヒートポンプ式給湯装置の運転中、第２のスイッチ手段がオフの状態でＡＣラインの接続を維持できるようにする。【解決手段】ＡＣラインの片側にＡＣラインを接続／遮断する第１のスイッチ手段１２と、第１のスイッチ手段１２と並列に挿入された第２のスイッチ手段１３と、第２のスイッチ手段と直列に接続されたＰＴＣサーミスタ１４と、前記第１、第２のスイッチの手段を制御するマイクロコンピュータ２１から構成されるヒートポンプ式給湯機の制御装置において、ＡＣラインを接続する過程に限り第２のスイッチ手段１３をオンすることで、ヒートポンプ式給湯装置の運転中、第２のスイッチ手段１３がオフの状態でＡＣラインの接続を維持することができる。【選択図】図１
2008267648.tif 000002
【特許請求の範囲】
【請求項１】
ＡＣラインの片側にＡＣラインを接続／遮断する第１のスイッチ手段と、第１のスイッチ手段と並列に挿入された第２のスイッチ手段と、この第２のスイッチ手段と直列に接続された電流制限素子と、この前記第１、第２のスイッチの手段を制御するマイクロコンピュータを有し、ヒートポンプ式給湯装置の運転中、前記第２のスイッチ手段をオフすることを特徴とするヒートポンプ式給湯機の制御装置。
【請求項２】
ＡＣラインの接続により発生するＤＣ電圧に接続された抵抗器と、この抵抗器によって分圧された電圧値を検出し正常／異常を判定する制御部を有し、前記電圧値が所定値以下の場合、第２のスイッチ手段の異常と判断することを特徴とする請求項１に記載のヒートポンプ式給湯機の制御装置。
【発明の詳細な説明】
【技術分野】
【０００１】
本発明は、圧縮機、給湯用熱交換器、膨張弁、及び蒸発器を有したヒートポンプ式給湯装置を制御する制御装置に関するものである。
【背景技術】
【０００２】
従来は図５に示すとおりＡＣ電源１１と、ＡＣラインに挿入された第１のスイッチ手段１２と、もう一方のＡＣラインに挿入された第２のスイッチ手段１３と、第２のスイッチ手段１３と並列に接続された電流制限素子（以下ＰＴＣサーミスタ）１４と、ＡＣラインに接続されている整流用のダイオードブリッジ１５と、平滑用の電解コンデンサ１６と、ダイオードブリッジ１５と電解コンデンサ１６により変換されたＤＣ電圧を各種の低電圧に変換する第１の電源回路１７と、第１のスイッチ手段１２および第２のスイッチ手段１３を経由した後のＡＣラインに接続されている整流用のダイオードブリッジ１８と、平滑用の電解コンデンサ１９と、ダイオードブリッジ１８と電解コンデンサ１９により変換されたＤＣ電圧を各種の低電圧に変換する第２の電源回路２０と、ヒートポンプ式給湯装置の各部を制御するマイクロコンピュータ２１と、第１の電源回路１７により作られた電圧からマイクロコンピュータ２１用の電圧に変換するレギュレータ２２と、ヒートポンプ式給湯装置に搭載されている圧縮機２３と、圧縮機２３を駆動するインバータ部２４から構成されている。
【０００３】
図６は、図５の第１のスイッチ手段１２と、第２のスイッチ手段１３の制御シーケンスを示したものである。まずＡＣラインを接続する際は、最初に第１のスイッチ手段１２をオンさせて、ＰＴＣサーミスタ１４を介して平滑用の電解コンデンサ１９を充電することにより回路に流れる突入電流を抑制している。平滑用の電解コンデンサ１９の充電完了後、第２のスイッチ手段１３をオンさせる。次にヒートポンプ式給湯装置の運転中は、第１のスイッチ手段１２、第２のスイッチ手段１３共にオンの状態を継続させる。次にヒートポンプ式給湯装置を運転休止する際は、第１のスイッチ手段１２、第２のスイッチ手段１３共にオフさせてＡＣラインを遮断する。
【特許文献１】特開２００５−２４９２９３号公報
【発明の開示】
【発明が解決しようとする課題】
【０００４】
ところが、上述のような制御装置では、ヒートポンプ式給湯装置の運転中は、ＡＣラインの接続を維持するためにＡＣラインに挿入された第１のスイッチ手段と、もう一方のＡＣラインに挿入された第２のスイッチ手段の双方をオンする必要があった。本発明は、前記従来の課題を解決するもので、ヒートポンプ式給湯装置の運転中、第２のスイッチ手段がオフの状態でＡＣラインの接続を維持するため、従来に比べて省電力化が可能となるヒートポンプ式給湯機の制御装置を提供することを目的とする。
【課題を解決するための手段】
【０００５】
上記従来の課題を解決する為に、本発明のヒートポンプ式の給湯機制御装置は、ＡＣラインの片側にＡＣラインを接続／遮断する第１のスイッチ手段と、第１のスイッチ手段と並列に挿入された第２のスイッチ手段と、第２のスイッチ手段と直列に接続されたＰＴＣサーミスタと、前記第１、第２のスイッチの手段を制御するマイクロコンピュータを有し、ヒートポンプ式給湯装置の運転中、第２のスイッチ手段をオフすることを特徴とする。
【０００６】
また、本発明のヒートポンプ式給湯機の制御装置は、ＡＣラインの接続により発生するＤＣ電圧に接続された抵抗器と、抵抗器によって分圧された電圧値を検出し、正常／異常
を判定する制御部を有し、第２のスイッチ手段が故障した場合、発見できることを特徴とする。
【発明の効果】
【０００７】
本発明のヒートポンプ式給湯機の制御装置は、ヒートポンプ式給湯装置の運転中、第２のスイッチ手段がオフの状態でＡＣラインの接続を維持するため、従来に比べて省電力化が可能となる。
【発明を実施するための最良の形態】
【０００８】
第１の発明のヒートポンプ式給湯装置の制御装置は、ＡＣラインの片側にＡＣラインを接続／遮断する第１のスイッチ手段と、第１のスイッチ手段と並列に挿入された第２のスイッチ手段と、第２のスイッチ手段と直列に接続されたＰＴＣサーミスタと、前記第１、第２のスイッチの手段を制御するマイクロコンピュータを有し、ＡＣラインを接続する際、突入電流を抑制する目的に第２のスイッチ手段をオンし、ヒートポンプ式給湯装置の運転中は第２のスイッチ手段をオフするため、従来に比べて省電力化が可能となる。
【０００９】
第２の発明は、第１の発明のヒートポンプ式給湯装置の制御装置において、ＡＣラインの接続により発生するＤＣ電圧に接続された抵抗器と、抵抗器によって分圧された電圧値を検出し、正常／異常を判定する制御部を有し、第２のスイッチ手段をオンした直後に前記制御部により第２のスイッチ手段が正常に接続されたかを判定するため、第２のスイッチ手段が故障した場合、発見が可能となる。
【００１０】
以下、本発明の実施の形態について、図面を参照しながら説明する。なお、この実施の形態によって本発明が限定されるものではない。
【００１１】
（実施の形態１）
図１〜図２は、本発明の第１の実施の形態におけるヒートポンプ式給湯装置の制御装置の回路図と第１のスイッチ手段１２と、第２のスイッチ手段１３の制御シーケンスを示したものである。
【００１２】
図１は、ＡＣ電源１１と、ＡＣラインに挿入された第１のスイッチ手段１２と、第１のスイッチ手段と並列に挿入された第２のスイッチ手段１３と、第２のスイッチ手段と直列に接続されたＰＴＣサーミスタ１４と、ＡＣラインに接続されている整流用のダイオードブリッジ１５と、平滑用の電解コンデンサ１６と、ダイオードブリッジ１５と電解コンデンサ１６により変換されたＤＣ電圧を各種の低電圧に変換する第１の電源回路１７と、第１のスイッチ手段１２および第２のスイッチ手段１３を経由した後のＡＣラインに接続されている整流用のダイオードブリッジ１８と、平滑用の電解コンデンサ１９と、ダイオードブリッジ１８と電解コンデンサ１９により変換されたＤＣ電圧を各種の低電圧に変換する第２の電源回路２０と、ヒートポンプ式給湯装置の各部を制御するマイクロコンピュータ２１と、第１の電源回路１７により作られた電圧からマイクロコンピュータ２１用の電圧に変換するレギュレータ２２と、ヒートポンプ式給湯装置に搭載されている圧縮機２３と、圧縮機２３を駆動するインバータ部２４から構成されている。
【００１３】
次に、本実施の形態１の作用を図２により説明する。これによれば、まずＡＣラインを接続する際は、最初に第２のスイッチ手段１３をオンさせて、ＰＴＣサーミスタ１４を介して平滑用の電解コンデンサ１９を充電することにより回路に流れる突入電流を抑制している。平滑用の電解コンデンサ１９の充電完了後、第１のスイッチ手段１２をオンさせる。その直後、第２のスイッチ手段１３をオフさせる。
【００１４】
次にヒートポンプ式給湯装置の運転中は、第１のスイッチ手段１２をオフ、かつ第２の
スイッチ手段１３をオンの状態を継続させる。次にヒートポンプ式給湯装置の運転休止の際は、第１のスイッチ手段１２をオフさせてＡＣラインを遮断する。結果、ヒートポンプ式給湯装置の運転中、ＡＣラインの接続を維持するために第１のスイッチ手段１２のみオンするため、従来に比べて省電力化が可能となる。
【００１５】
（実施の形態２）
図３〜図４は、本発明の第２の実施の形態におけるヒートポンプ式給湯装置の制御装置の回路図と第２のスイッチ手段３の制御フローを示したものである。
【００１６】
図３は、実施の形態１の図１に加えてＡＣラインの接続により発生するＤＣ電圧に接続された抵抗器２５、２６と、抵抗器によって分圧された電圧値を検出し、正常／異常を判定する制御部２７から構成されている。次に、本実施の形態２の作用を図４より説明する。
【００１７】
これによれば、まずＡＣラインを接続する際、最初に第２のスイッチ手段１３をオンさせる。次に抵抗器２５と抵抗器２６によって分圧された電圧値を制御部２７によって検出する。第２のスイッチ手段１３が正常で検出した電圧値が所定の電圧以上に達している場合、制御部２７は実施の形態１の制御シーケンス（図２）とおり第１のスイッチ手段１２をオンさせる。一方、第２のスイッチ手段１３が故障で検出した電圧値が所定の電圧以上に達していない場合、制御部２７は第２のスイッチ手段１３の故障と判定し、第１のスイッチ手段１２をオンさせない。結果、第２のスイッチ手段１３が故障した場合、発見が可能となり第１のスイッチ手段１２の接点溶着など不安全な動作を防ぐことができる。
【産業上の利用可能性】
【００１８】
以上のように、本発明にかかる制御装置は通常、１個のスイッチ手段の駆動でＡＣラインを接続・遮断することが可能となるため、ＡＣラインを接続・遮断する空気調和器や給湯器の室内機、室外機制御などに適応できる。
【図面の簡単な説明】
【００１９】
【図１】本発明実施の形態１におけるヒートポンプ給湯機の制御装置の回路図
【図２】本発明実施の形態１における第１、第２のスイッチ手段の制御シーケンス図
【図３】本発明実施の形態２におけるヒートポンプ給湯機の制御装置の回路図
【図４】本発明実施の形態２における第１、第２のスイッチ手段の制御フロー図
【図５】従来技術の回路図
【図６】従来技術の第１、第２のスイッチ手段の制御シーケンス図
【符号の説明】
【００２０】
１１  ＡＣ電源
１２  第１のスイッチ手段
１３  第２のスイッチ手段
１４  ＰＴＣサーミスタ
１５  ダイオードブリッジ
１６  電解コンデンサ
１７  第１の電源回路
１８  ダイオードブリッジ
１９  電解コンデンサ
２０  第２の電源回路
２１  マイクロコンピュータ
２２  レギュレータ
２３  圧縮機
２４  インバータ部
２５  抵抗器
２６  抵抗器
２７  制御部
【図１】
2008267648.tif 000003
【図２】
2008267648.tif 000004
【図３】
2008267648.tif 000005
【図４】
2008267648.tif 000006
【図５】
2008267648.tif 000007
【図６】
2008267648.tif 000008